(57)【要約】  【課題】被検者である婦人が日常生活の中で、少ない摩擦で滑らかに動くことによって、触診の感度が向上し、胸部など被検査部の形や硬さの物理的な異常や変化を鋭敏に感じとる作用を利用して自己検診する場合、左右の手を持ち変えて使用して壊れにくい触診補助具を得る。  【解決手段】  平らな袋の先端には揃えた指のみ被う程度の指カバーを取り付け、先端と反対側の端には手首をやわらかく固定するベルトを取り付け、指カバーおよびベルトはいずれも平らな袋のおもて面側又は背面側に任意に反転させることができ、指カバーの開放端部の線とベルトとは互いに平行でなく若干の傾きを有させることによって、無駄な力か加わらずこわれにくくした。  【選択図】図１
0003102495.tif 000002
【実用新案登録請求の範囲】
【請求項１】
被検者の胸部の肌に触れて異常を触診するための、密閉した柔軟で平らな袋の内部に潤滑液および空気を混入した構造を有する乳癌触診補助具であって、
前記平らな袋は片手のひらを余裕をもって被う程度の大きさおよび形状を持ち、平らな袋のおもて面および背面のいずれによっても肌に触れて触診することができるように裏表同質の素材で構成し、
平らな袋の先端には揃えた指のみ被う程度の指カバーを取り付け、先端と反対側の端には手首をやわらかく固定するベルトを取り付け、
前記指カバーおよびベルトはいずれも平らな袋のおもて面側又は背面側に任意に反転させることができ、
指カバーの開放端部の線とベルトとは互いに平行でなく若干の傾きを有することを特徴とする
乳癌検診用具
【考案の詳細な説明】
【技術分野】
【０００１】
本考案は、被検者自身が乳癌を自己検診する補助具に関し、とくに右手又は左手によって、夫々被検者の身体の左部分又は右部分を触診するための、使い易い乳癌検診用具に係る。
【背景技術】
【０００２】
乳癌は自分で発見できる数少ない癌のひとつである。乳癌は、専門医による視診、触診、エコー、Ｘ線撮影（マンモグラフィー）、細胞診によって発見されるが、医師に係る以前に、被検者、とくに成人女性が自己検診を行うことに、重要な意味がある。自分で早期のうちに症状を発見することができれば、仮に乳癌と診断されても、生存率は高く、乳房を全摘出せずに温存できるケースも多くなる。専門医院や集団検診にかかることが大切なことは当然としても、それらの環境の場では短時間の検診になりがちである。したがって、被検者自身が、日常家庭等において、胸部を触診し、身体の皮膚上の異常や皮膚下におけるしこりを触診で発見することが、乳癌の早期発見につながる。
【０００３】
乳房の腫瘤のうち、生命に関わるものは20%しかないが、乳癌の臨床上の徴候を良性の乳腺疾患と区別するのは簡単ではない。実際、乳癌は、診断や治療の見通しがよいとはいいながら、女性の死亡原因の上位に位置する症状でもあることは注意しなければならない。
【０００４】
近時、幸いにも、乳房の自己検診法を学ぶ女性が増加していることが、腫瘤を早期に発見し診断できる環境をより改善してきている。実際、専門病院で、医師によって乳癌と診断される患者の約90％は、予め自分でしこりを発見して受診した人たちである。乳癌は、早期発見できさえすれば、治癒率は100％に近いとさえ云われる。
【０００５】
２０歳を過ぎた女性は、毎月１度はしこりを見つける自己検診をすべきである。乳腺のはれが少ない月経開始後、月経が終る頃から5〜10日以降（約７日目、排卵日前後）、体温の変化が顕著であるときに行うことが効果的であるので、被検者は体温に注意しながら、検診するのに適当な時期に自己検診を実行しなければならない。ところが、自分の身体のこととはいえ、不慣れもあり、自分で検診することに手数がかかる印象を抱き、又見落とすことも多い。当然、専門医の診察を受けるにしても、遅れてしまっては危険である。
【０００６】
特許文献１には、胸部のしこりなどの自己触診に適したパッドが開示されている。このパッドは、袋になっており、内部に潤滑液および空気を入れたもので、触診の際、指先の感覚を鋭敏にして、患部のしこり等を発見しやすくする、優れたツールである。
【特許文献１】特公平４ー１１８７２号公報
【考案の開示】
【考案が解決しようとする課題】
【０００７】
特許文献１に記載されているパッドは、被検者の胸部その他の肌に触れて、しこりなどの異常を触診するためのもので、上面はほぼ円形であり、断面を図４に示すように、密閉した柔軟な外皮（10）を持った、平らで円形の袋の内部に潤滑液（13）および空気（14）を混入した構造を有する。本考案は、そのような乳癌触診パッドの原理を利用し、左右の手で持ちかえて使いやすいように、形態を改良することを課題とする。
【０００８】
触診パッドは、外見は、人間の手のひらと同程度か、より大きめで、ほぼ円形の平たい袋である。袋の外皮は適当強度があり、柔軟で、水や気体を通さない合成ゴム又は天然ゴムのラテックスで作られる。合成ゴムのラテックスは、具体的には、ポリクロロプレン、ブタジエンスチレン共重合物、ブタジエンアクリロニトリル共重合物等のポリマーである。天然ゴムのラテックスは、ヘベアブラジリエンシス科の木から採取され加工されるものがある。そのような袋の中に、潤滑液（13）と空気（14）が封入され、シールされる。潤滑液は、外皮と化学反応しない材料であるディメチルシリコン、グリセリン、ポリエチレングリコール、又はプロピレングリコールが好ましいが、それらに限定されない。空気は潤滑液の２倍程度入れる。袋の周辺部とくに手首にあたる下端部は、他の部品、たとえば体温計測用機器、触診の際手首を入れるベルト、触診の際の注意メッセージを表示したラベル、あるいは肌着類の適当箇所や浴室等の壁に止める止め具などを取り付けるために、袋でない一枚の板状部を、形成するか又は取り付ける。この板状部は、触診補助具の上下方向を区別するとともに、パッドを持ち運び、取り扱いやすくするのに役に立つ。
【０００９】
被検者は、触診パッドを用い、身体のしこりが生まれそうな部位、例えば、腋の下やバストの中心部周辺部などを触診する。触診パッドの外皮の上から、指先でゴム外皮および潤滑液を通して触診すると、上下の外皮が少ない摩擦で滑らかに動くことによって、触診の感度が著しく向上し、胸部など被検査部の形や硬さの物理的な異常や変化を鋭敏に感じとる作用を、有効に発揮させることができる。
【００１０】
ここで、利用上の問題がいくつか生まれる。第一に、触診パッドは、パッドの大きさは、手のひらと同程度かより大きいものとされる。小さいと、触診のとき指がパッドから外れることがある。かといって、あまり大きいものでは扱いに不便である。外皮の表又は裏の上にさらに手袋のようにカバーを形成して手を入れるようにしてもよい（図３）が、そうすると、さらに次の第二の問題が加わる。すなわち、触診の際、大きなカバーが指先の自由な動きを妨げる。いまひとつ、第三の問題は、この種のパッドは、平たい袋状の表裏を取り替えて触診に使われることである。その際、身体の左部位には右手を袋の表から使い、身体の右部位には左手を袋の裏側から使う。しかし、手袋のような構造では、表裏両面を有効に使うことができない。だからといって、右手用と左手用とを一対準備することは、不便で煩わしいし、無駄でもある。
【００１１】
そこで、手袋のような構造の代わりに、先端に、指が隠れる程度のあまり大きくないカバーを付けることが考えられた。また、手首が触診パッドの外皮を外れない程度にやわらかく固定する手首のベルトを袋の外皮の下端付近、手首にあたる部分に併用することも考えられた。被検者は、小さめの指カバー及びベルトを右手にかけて触診し、必要に応じて、パッドの表側から裏側へ反転させ、パッドを裏返しにしたかたちで、今度は左手を使い、平たい袋の反対側を肌に触れて、触診を行う。
【００１２】
手袋のように手のひらを完全に被ってしまうと、裏返すことができず、平らな袋の片側の面でしか触診することができない。このことは、別の不便も生む。被検者は、パッドを左手と右手とで持ちかえて触診するわけであるが、平らな袋は、親指の位置を考慮して、その部分の面積を大きくした、丸みを持った、非対称な形状とされるので、形状を右手用につくると、左手による使用に合わない。そのためにも、左右の手を持ち変えて使うのに、同じ袋の裏表を使用することが便利なのである。これで、第一〜第三の問題は一応解消するが、別の、第四の問題が生まれる。それは、指カバーやベルトを裏返すことを繰り返すうち、袋とカバー等との接合部分が、破損しやすいことである。
【００１３】
袋自体もそうであるが、指カバーもベルトも、肌に触れさせて使う以上、布やゴムのような、柔らかな材料でつくられなければならない。そのため、強度には限界があり、反転させるたびに力と歪が加わり、接合部分などの材質が疲労して、裂けて破損してしまうことがあった。袋の上皮が損傷することさえある。この種のパッドは、通常２年程度使うことが推奨される。袋およびその中身は使用中変質するものではないが、袋の一部が損傷したり指カバーのような付属部品が破損すると、利用する被検者自身が修繕することは難しく、それが利用上のネックとなっていた。
【課題を解決するための手段】
【００１４】
上記の第四の問題を含め、述べてきた課題を、本考案においては、指カバーの解放端部の線とベルトとを、互いに平行でなく、若干の傾きを持たせたことにより解決した。
【００１５】
指カバーの下端部の線とベルトとを互いに若干の傾きを持たせることによってそれら付属部分の破損が少なくなる理由は、利用者は、たとえば右手でベルトを、左手で指カバーの端を、それぞれ握って、一度に裏返えそうとするが、左右の手が力を加える方向は一直線上にはなく、いくらか角度をもっているので、その角度に合わせるように指カバーとベルトとを傾けて取り付けたことで、利用者が裏返えそうとする力が無理なくかかるようになるためと考えられる。さらに、カバーを裏返す場合に、カバーの解放端の部分に対して、垂直の方向のみに直接かかっていた力が、横方向にいくらか分散されることも考えられる。
【考案の効果】
【００１６】
本考案によれば、触診補助具の袋内部の潤滑液が指先の感触を鋭敏にし胸部のしこりを非常に分かりやすくする機能を、裏表同質の構造を用いて実現し、裏表両方の使用に生かすことができる。すなわち、一つの乳癌検診用具を平らな形状のままで裏表に返して使う場合、使い易く、壊れ難くすることができる。
【考案を実施するための最良の形態】
【００１７】
本考案の乳癌検診用具を実施するための最良の形態は、次の通りである。すなわち：
被検者の胸部の肌に触れて異常を触診するための、密閉した柔軟で平らな袋の内部に潤滑液および空気を混入した構造を有する乳癌触診補助具であって、
前記平らな袋は片手のひらを余裕をもって被う程度の大きさおよび形状を持ち、平らな袋のおもて面および背面のいずれによっても肌に触れて触診することができるように裏表同質の素材で構成し、
平らな袋の先端には揃えた指のみ被う程度の指カバーを取り付け、先端と反対側の端には手首をやわらかく固定するベルトを取り付け、
前記指カバーおよびベルトはいずれも平らな袋のおもて面側又は背面側に任意に反転させることができ、
指カバーの開放端部の線とベルトとは互いに平行でなく若干の傾きを有することを特徴とする乳癌検診用具。
【００１８】
指カバーの開放端部の線とベルトとの角は、検診補助具の形状にもよるが、たとえば５度以下、わずかあればそれだけ効果があり、通常２０度以下で足りる。
【実施例１】
【００１９】
図１に、本考案の実施例１を、また図２に同じ実施例１の触診具を裏返した状態を示す。触診部（1）をおもて面の上から見ると、片方の手のひらより大きい程度の、楕円状ないしは丸みをおびた多角形状であり、親指が入る位置のため、楕円は縦横の径を中心として非対称な形状となる。袋の外皮（10）は、平らなおもて面（10A）又は同じく平らな裏面（10B）のいずれによっても触診することができるように、裏表同質の素材で作る。これに、手のひらが触診補助具から外れない程度に、またそろえた指が隠れる程度の、大きすぎない指カバー（11）を取り付ける。あわせて、やわらかく手首を固定するベルト（12）を袋の外皮の下端付近に取り付ける。ベルト（12）や指カバー（11）は、柔らかさと伸縮性を持つので、図５の矢印に示すように、引っ張りながら裏返して、左右どちらの手でも使うことができる。裏返すとき、指カバーの開放端部の線とベルトとは互いに平行でなく、約５度の傾きをもたせることによって、無理な力や歪がかかりにくくなることが本考案の特徴である。
【００２０】
ベルト（12）を取り付けた部分は、袋から突出した板状部とする。上皮の材料の端を板のように加工してもよいし、別の材料で板状のものを作って取り付けてもよい。なお、本考案の乳癌触診用具の袋（10A、10B）の内部は、断面については図４に示すように、従来のものと違いはなく、潤滑液（13）と空気（14）を混入した、柔軟で平たい袋構造である。
【００２１】
本考案における触診補助具による検診は、次のような手順で行う。予防も考え、検診は月に１回程度、乳房の張っている月経前はさけ、月経開始後、月経が終わる頃から５〜10日以降（約７日目、排卵日前後）、体温の変化の大きい時期に行う。潤滑液の作用により、直接指で患部を触るよりも、著しく触感が増幅される。その作用の助けで、被検者本人が自分の胸にしこりなどの僅かな異常でも発見しやすくなる。
【００２２】
鏡に乳房を映しながら視診と触診とを併用すると効果がある。赤く腫れていたり、くぼみ、引きつりなどがないか、よく見ながら、４本の指をそろえて、触診補助具の外皮のうえから、乳房の内側（身体の中心部）から外側に向かって、“の”の字を書くように触診する。乳房の外側から内側へ向かっても、また乳房の中心から周辺、さらに腋の下のリンパ腺の周囲をも、渦巻き状に押すようになでていき、しこりの有無を確かめる。鏡に向かって両腕を上げ、両方の乳房の位置や不自然なくぼみに注意する。右の胸は左手で、左の胸は右手で、検診用具を持ち変えて触診する。触診補助具の上から指の腹で乳房の表面を軽く、ゆっくりと、丁寧になでる。腕をおろした姿勢と、あげた姿勢とで２度チェックする。
【００２３】
潤滑液入りの触診補助具には、著しく触感を増幅する作用がある。皮膚下にしこりがあると、かすかに盛り上がった感じやコリっとした硬い感触が指先に伝わる。乳癌のしこりは硬めで、表面はでこぼこしていて、普通、触れても痛みはない。ひきつれを感じた個所などは、少していねいに触ってみる。指にあまり力を入れると、乳腺などをしこりと間違えやすいので、あくまでも表面を軽くすべらせるようになでる。
【実施例２】
【００２４】
指カバーの開放端は、直線である必要はない。なめらかな湾曲をつけることによって、結果として、指カバーの下端部の線とベルトとは互いに平行でなく若干の傾きを有するものとすることもできる。また、ベルト（12）を取り付けた板状の部分（2）は、袋から突出した体温計、カレンダー時計、触診履歴を記録しておく手段、その他使用上の注意メッセージ、壁への止め具など、種々の付属部品を取り付けてもよい。
【産業上の利用可能性】
【００２５】
本考案によれば、触診補助具の袋内部の潤滑液が指先の感触を鋭敏にし胸部のしこりを非常に分かりやすくする機能を、裏表両方の使用において生かすことができる。すなわち、乳癌検診用具を全体として平らな形状のままで裏表に返して使う場合、使い易く、壊れ難くすることができた。
【００２６】
本考案によれば、婦人が、自身で検診をしやすくなるので、乳癌の初期発見に役立つ。自己触診する際、家庭等において、指先の感触を鋭敏にする使い易い触診補助具を使用できるから、胸のしこり等の異常を早く発見することができる。本考案は、触診補助具の平たい形状および指先の感触を特に鋭敏にする機能と、あわせて、壊れにくい部品を有効に組み合わせて利用するから、医療健康装置類を製造、販売、利用する産業において、利用可能性が大きい。
【図面の簡単な説明】
【００２７】
【図１】本考案実施例１の触診補助具
【図２】同じ実施例１の触診補助具を裏返して使う状態にした図
【図３】触診補助具の袋部分の断面図
【図４】大きい指カバーを取り付けた従来例の図
【図５】指カバーおよびベルトを反転させて裏返す参考側面図
【符号の説明】
【００２８】
１  触診補助具
２  付属部品（体温計など）
１０Ａ  表側外皮
１０Ｂ  裏側外皮
１１  指カバー
１２  ベルト（又は取付位置）
１３  潤滑液
１４  空気
【図１】
0003102495.tif 000003
【図２】
0003102495.tif 000004
【図３】
0003102495.tif 000005
【図４】
0003102495.tif 000006
【図５】
0003102495.tif 000007